【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデバイスが、ワイヤレスネットワークの第１の発見プロシージャに関連するプローブ要求を送信すること、前記プローブ要求は、前記第１の発見プロシージャとは異なる第２の発見プロシージャに対応し、サービスおよびデバイスの近隣エリアネットワーク（ＮａＮ）クラスタにさらに対応するＮａＮ情報要素を備え、サービスおよびデバイスの前記ＮａＮクラスタは、前記第１の発見プロシージャとは異なる前記第２の発見プロシージャに関連する、と、
前記第１のデバイスが、ＮａＮ発見情報を受信すること、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別することと
を備える、方法。
【請求項２】
前記プローブ要求を送信することをさらに備え、前記ＮａＮ発見情報を受信することは、前記プローブ要求を受信することに応じたものである、
請求項１に記載の方法。
【請求項３】
前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
請求項１に記載の方法。
【請求項４】
前記ＮａＮ発見情報は、前記第２のデバイスとのワイヤレス接続を確立するための前記第２のデバイスに関する詳細を示す多数の情報要素をさらに備える、
請求項１に記載の方法。
【請求項５】
前記ＮａＮ発見情報の前記サブセットは、同期ビーコンタイミング、発見タイミング、および前記第２のデバイスのアイデンティティから成るグループからの少なくとも１つのパラメータを備える、
請求項１に記載の方法。
【請求項６】
前記プローブ要求は、ＮａＮデバイス以外のワイヤレスネットワークインフラストラクチャのためのアクティブスキャンの一部として送信される、
請求項１に記載の方法。
【請求項７】
ＮａＮデバイス以外の前記ワイヤレスネットワークインフラストラクチャは、ピアツーピア（Ｐ２Ｐ）デバイス、ソフトアクセスポイントデバイス、独立基本サービスセット（ＩＢＳＳ）デバイス、メッシュデバイス、および局（ＳＴＡ）デバイスから成るグループからの少なくとも１つのデバイスを備える、
請求項６に記載の方法。
【請求項８】
前記第１のデバイスは、Ｐ２Ｐデバイス、ソフトアクセスポイントデバイス、ＩＢＳＳデバイス、メッシュデバイス、およびＳＴＡデバイスから成るグループからのものであり、前記第１のデバイスは、前記第２のデバイスと一所に配置される、
請求項１に記載の方法。
【請求項９】
前記ＮａＮ発見情報を受信することは、前記ワイヤレス通信ネットワークの前記第２のデバイスおよび第３のデバイスから成るグループからの少なくとも１つのデバイスから前記ＮａＮ発見情報を受信することを備える、
請求項１に記載の方法。
【請求項１０】
ワイヤレス通信のための第１のデバイスであって、
ワイヤレスネットワークの第１の発見プロシージャに関連するプローブ要求を送信する送信機、前記プローブ要求は、前記第１の発見プロシージャとは異なる第２の発見プロシージャに対応し、サービスおよびデバイスの近隣エリアネットワーク（ＮａＮ）クラスタにさらに対応するＮａＮ情報要素を備え、サービスおよびデバイスの前記ＮａＮクラスタは、前記第１の発見プロシージャとは異なる前記第２の発見プロシージャに関連する、と、
ＮａＮ発見情報を受信する受信機、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別するプロセッサと
を備える、第１のデバイス。
【請求項１１】
前記プローブ要求を送信する送信機をさらに備え、前記受信機は、前記プローブ要求を受信することに応じて前記ＮａＮ発見情報を受信する、
請求項１０に記載の第１のデバイス。
【請求項１２】
前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
請求項１０に記載の第１のデバイス。
【請求項１３】
前記ＮａＮ発見情報は、前記第１のデバイスと前記第２のデバイスとの間のワイヤレス接続を確立するための前記第２のデバイスに関する詳細を示す多数の情報要素をさらに備える、
請求項１０に記載の第１のデバイス。
【請求項１４】
前記プローブ要求は、ＮａＮデバイス以外のワイヤレスネットワークインフラストラクチャのためのアクティブスキャンの一部として送信される、
請求項１０に記載の第１のデバイス。
【請求項１５】
ワイヤレス通信のための方法であって、
第２のデバイスで第１のデバイスからプローブ要求を受信すること、ここにおいて、前記プローブ要求は、ワイヤレスネットワークの第１の発見プロシージャに関連し、前記プローブ要求は、前記第１の発見プロシージャとは異なる第２の発見プロシージャに対応し、サービスおよびデバイスの近隣エリアネットワーク（ＮａＮ）クラスタにさらに対応するＮａＮ情報要素を備え、サービスおよびデバイスの前記ＮａＮクラスタは、前記第１の発見プロシージャとは異なる前記第２の発見プロシージャに関連する、と、
ＮａＮ発見情報が前記プローブ要求に応じて送信されるかどうかを決定すること、ここにおいて、前記ＮａＮ発見情報は、ＮａＮクラスタ情報を備える、と、
前記決定に応じて前記ＮａＮ発見情報を送信することと
を備える、方法。
【請求項１６】
前記ＮａＮ発見情報を送信することは、前記プローブ要求を受信することに応じたものである、
請求項１５に記載の方法。
【請求項１７】
前記ＮａＮ発見情報が送信されるかどうかを決定することは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
を備える、請求項１５に記載の方法。
【請求項１８】
前記ＮａＮ発見情報が送信されるかどうかを決定することは、
ＮａＮ発見情報が送信された後の経過時間を決定することと、
前記経過時間がしきい値経過時間期間を超えるとき、前記ＮａＮ発見情報が送信されると決定することと
を備える、請求項１５に記載の方法。
【請求項１９】
前記ＮａＮ発見情報は、プローブ応答、ビーコン信号、および発見応答パブリックアクションフレームから成るグループからの少なくとも１つのメッセージにおいて送信される、
請求項１５に記載の方法。
【請求項２０】
前記ＮａＮ発見情報は、ワイヤレス接続を確立するための前記第２のデバイスに関する詳細を示す多数の情報要素をさらに備える、
請求項１５に記載の方法。
【請求項２１】
前記ＮａＮ発見情報が送信されるかどうかを決定することは、
別のＮａＮデバイスが前記プローブ要求に応じてＮａＮ発見情報を送信したとき、前記ＮａＮ発見情報を送信することがスキップされると決定することを備える、
請求項１５に記載の方法。
【請求項２２】
ワイヤレス通信のための第２のデバイスであって、
第１のデバイスからプローブ要求を受信する受信機、ここにおいて、前記プローブ要求は、ワイヤレスネットワークの第１の発見プロシージャに関連し、前記プローブ要求は、前記第１の発見プロシージャとは異なる第２の発見プロシージャに対応し、サービスおよびデバイスの近隣エリアネットワーク（ＮａＮ）クラスタにさらに対応するＮａＮ情報要素を備え、サービスおよびデバイスの前記ＮａＮクラスタは、前記第１の発見プロシージャとは異なる前記第２の発見プロシージャに関連する、と、
ＮａＮ発見情報が前記プローブ要求に応じて送信されるかどうかを決定するプロセッサと、ここにおいて、前記ＮａＮ発見情報は、ＮａＮクラスタ情報を備え、
前記決定に応じて前記ＮａＮ発見情報を送信する送信機と
を備える、第２のデバイス。
【請求項２３】
前記送信機は、前記プローブ要求を受信することに応じて前記ＮａＮ発見情報を送信する、
請求項２２に記載の第２のデバイス。
【請求項２４】
前記プロセッサは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
をさらに行う、請求項２２に記載の第２のデバイス。
【請求項２５】
前記プロセッサは、
ＮａＮ発見情報が送信された後の経過時間を決定することと、
前記経過時間がしきい値経過時間期間を超えるとき、前記ＮａＮ発見情報が送信されると決定することと
をさらに行う、請求項２２に記載の第２のデバイス。
【請求項２６】
前記ＮａＮ発見情報は、ＮａＮデバイス情報をさらに備える、
請求項２２に記載の第２のデバイス。